(57)【要約】【課題】側方衝突時において、車体が受けた衝撃荷重を反対側へ伝達分散させるとともに、車室内へ突出してくる車体と乗員との間にサイドエアバッグをより適正に展開することができる車両用シートを提供する。【解決手段】右側及び左側シート１１，１２は、サイドエアバッグ１１Ｄ，１２Ｄと、外側プレート１１１，１２１と、内側プレート１１２，１２２と、荷重伝達部材１１３，１２３と、を備える。側方衝突時には、右側及び左側シート１１，１２の衝突側の外側プレート１１１，１２１及び内側プレート１１２，１２２がガイドに沿って移動され、衝突側の内側プレート１１２，１２２と反対側の内側プレート１２２，１１２の嵌合ピン１１８，１２８と嵌合孔１２９，１１９とが嵌合して車両前後方向の移動を拘束するとともに、衝突側の外側プレート１１１，１２１が車幅方向内側に回動する。【選択図】      図１
2015123873.tif 000002
【特許請求の範囲】
【請求項１】
車両の幅方向に並んで設けられた右側シート及び左側シートを含む車両用シートであって、
前記右側シート及び前記左側シートのシートバックの車幅方向の外側部分に内蔵され側方衝突の際に乗員の側方に展開されるサイドエアバッグと、
前記右側シート及び前記左側シートのシートクッションの車幅方向の外側部分に内蔵され、側方衝突の際に車幅方向外側からシートクッションに入力された荷重を受ける外側プレートと、
前記右側シート及び前記左側シートのシートクッションの車幅方向の内側部分に内蔵され、前記外側プレートと対向して配置される内側プレートと、
前記外側プレートと前記内側プレートとの間で車幅方向に延設され、一端が車幅方向に連結される荷重伝達部材と、
前記荷重伝達部材の前記外側プレートとの連結箇所において中心軸が鉛直方向へ向くよう設けられ、前記荷重伝達部材に対して前記外側プレートを車幅方向に回動可能に連結する回動シャフトと、
前記荷重伝達部材に対して前記外側プレートの角度を一定に保持する第１の状態、及び前記荷重伝達部材に対して前記回動シャフトを中心に前記外側プレートを車幅方向内側へ回動可能にする第２の状態に変位するリンク機構と、
前記外側プレート及び前記内側プレートを支持し、前記外側プレートに車幅方向外側から荷重が作用した際に前記外側プレート及び前記内側プレートを車幅方向内側へ案内するガイドと、
前記外側プレート及び前記内側プレートが前記ガイドに沿って車幅方向内側へ移動した際に前記リンク機構を前記第１の状態から前記第２の状態へ変位させる解除部材と、
前記右側シート及び前記左側シートの少なくとも一方の前記内側プレートに設けられ、前記ガイドに沿う方向に延びた嵌合ピンと、
前記嵌合ピンが設けられた一方の前記内側プレートに対峙する他方の前記内側プレートに設けられ、前記一方もしくは他方の前記内側プレートが前記ガイドに沿って車幅方向内側へ移動した際に前記嵌合ピンが差し込まれる嵌合孔と、
を備えることを特徴とする車両用シート。
【請求項２】
前記リンク機構は、前記回動シャフトから離れた位置の前記荷重伝達部材と前記外側プレートとの間に設けられる
ことを特徴とする請求項１に記載された車両用シート。
【請求項３】
前記荷重伝達部材は、前記シートクッションの後方側に配置され、
前記リンク機構は、前記荷重伝達部材の前方の前記外側プレートと前記内側プレートとの間に設けられる
ことを特徴とする請求項１に記載された車両用シート。
【請求項４】
前記嵌合ピンは、車幅方向に前記荷重伝達部材の延長上に配置される
ことを特徴とする請求項１から請求項３のいずれか１項に記載された車両用シート。
【請求項５】
前記外側プレートは、前記ガイドに沿って車幅方向内側へ移動した際に前記ガイドから脱落する
ことを特徴とする請求項１から請求項４のいずれか１項に記載された車両用シート。
【請求項６】
前記右側シート及び前記左側シートは、前記シートクッションの下方に車両前後方向へスライド可能なスライド機構を備え、
前記嵌合孔は、前記スライド機構のスライド位置に対応して前後方向に複数並んで配置されている
ことを特徴とする請求項５に記載された車両用シート。
【請求項７】
前記右側シート及び前記左側シートの前記シートクッションは、互いに隙間無く接している
ことを特徴とする請求項１から請求項６のいずれか１項に記載された車両用シート。
【発明の詳細な説明】
【技術分野】
【０００１】
本発明は、車両が側方衝突を受けた場合にサイドエアバッグを展開させて乗員を保護する車両用シートに関する。
【背景技術】
【０００２】
車両が側方から衝突荷重を受けると、車室の内側へ突出するように車体が変形することがある。車室内へ突出する量を軽減し、乗員の安全を確保するために、側方衝突を受けた側から反対側へ衝突荷重を伝達し分散させる構造を有した車両用シートがある。
【０００３】
特許文献１に記載された車両用シートは、シートクッションに衝撃荷重が入力されるまたは伝達された衝撃荷重を出力する一対の荷重入出力部材と、これらの間に設置され衝撃荷重を一方から他方へ伝達する荷重伝達部材とを備えている。右側シート及び左側シートがそれぞれ独立して車両の進行方向へスライドする場合にも車幅方向に衝撃荷重を伝達できるように、特許文献１に記載された車両用シートは、右側シート及び左側シートをどの位置へスライドさせても、隣り合う右側シート及び左側シートの間で荷重入出力部材の少なくとも一部が車幅方向へ重なり合うように構成されている。そして、側方衝突を受けたことによって、車体が車室の内側に変形し荷重入出力部材に当たると、荷重伝達部材を介して反対側の荷重入出力部材へ衝撃荷重が伝達され、車体が受けた荷重を分散する。
【先行技術文献】
【特許文献】
【０００４】
【特許文献１】特開２００９−１８４６５７号公報
【発明の概要】
【発明が解決しようとする課題】
【０００５】
ところで、側方衝突の際に乗員と車体との間に展開され乗員を保護するサイドエアバッグを搭載した車両用シートがある。また、側方衝突であっても立ち木や電柱等の柱状の物体に衝突すると、車体が局部的に変形して車室内へ突出することがある。このように局部的な変形を伴う側方衝突を受けると、乗員と車体との間にサイドエアバッグを展開させる十分な隙間を確保しにくくなる。また、局部的な変形によって車室の内側へ突出してきた車体が車両用シートに当たると、衝突した側の車両用シートが車室の外に向くように後方に回動することがある。
【０００６】
車両用シートが後方へ回動した場合、車両用シートに着座している乗員は慣性力によってその場に留まり、車両用シートに組み込まれているサイドエアバッグが乗員の後方へ移動するため、乗員とサイドエアバッグの展開位置とが前後でずれてしまいエアバッグの性能を十分に発揮できない虞がある。
【０００７】
また、特許文献１のように各シートが進行方向へスライド可能であり、車幅方向へ一部が重なり合っている状態、すなわち前後の位置が揃っていない場合、局部的な変形を伴う側方衝突を受けると、左右のシートの間で衝撃荷重が適正に伝達されない可能性がある。
【０００８】
そこで、本発明は、側方衝突時において、車体が受けた衝撃荷重を反対側へ伝達分散させるとともに、車室内へ突出してくる車体と乗員との間にサイドエアバッグをより適正に展開することができる車両用シートを提供する。
【課題を解決するための手段】
【０００９】
本発明に係る一実施形態の車両用シートは、車両の車幅方向に並んで設けられた右側シート及び左側シートを含む車両用シートである。この車両用シートは、サイドエアバッグと、外側プレートと、内側プレートと、荷重伝達部材と、回動シャフトと、リンク機構と、ガイドと、解除部材と、嵌合ピンと、嵌合孔と、を備える。サイドエアバッグは、右側シート及び左側シートのシートバックの車幅方向の外側部分に内蔵され、側方衝突の際に乗員の側方に展開される。外側プレートは、右側シート及び左側シートのシートクッションの車幅方向の外側部分に内蔵され、側方衝突の際に車幅方向外側からシートクッションに入力された荷重を受ける。内側プレートは、右側シート及び左側シートのシートクッションの車幅方向の内側部分に内蔵され、外側プレートと対向して配置される。荷重伝達部材は、外側プレートと内側プレートとの間で車幅方向に延設され、一端が車幅方向に連結される。回動シャフトは、荷重伝達部材の外側プレートとの連結箇所において中心軸が鉛直方向へ向くように設けられ、荷重伝達部材に対して外側プレートを車幅方向に回動可能に連結する。リンク機構は、荷重伝達部材に対して外側プレートの角度を一定に保持する第１の状態、及び荷重伝達部材に対して回動シャフトを中心に外側プレートを車幅方向内側へ回動可能にする第２の状態に変位する。ガイドは、外側プレート及び内側プレートを支持し、外側プレートに車幅方向外側から荷重が作用した際に外側プレート及び内側プレートを車幅方向内側へ案内する。解除部材は、外側プレート及び内側プレートがガイドに沿って車幅方向内側へ移動した際にリンク機構を第１の状態から第２の状態へ変位させる。嵌合ピンは、右側シート及び左側シートの少なくとも一方の内側プレートに設けられ、ガイドに沿う方向に延びている。嵌合孔は、嵌合ピンが設けられた一方の内側プレートに対峙する他方の内側プレートに設けられ、一方もしくは他方の内側プレートがガイドに沿って車幅方向内側へ移動した際に嵌合ピンが差し込まれる。
【００１０】
このとき、リンク機構は、回動シャフトから離れた位置の荷重伝達部材と外側プレートとの間に設けられる。または、荷重伝達部材がシートクッションの後方側に配置され、リンク機構が荷重伝達部材の前方の外側プレートと内側プレートとの間に設けられる。また、嵌合ピンは、車幅方向に荷重伝達部材の延長上に配置される。外側プレートは、ガイドに沿って車幅方向内側へ移動した際にガイドから脱落する。また、右側シート及び左側シートは、シートクッションの下方に車両前後方向へスライド可能にするスライド機構を備え、嵌合孔は、スライド機構のスライド位置に対応して前後方向に複数並んで配置される。また、右側シート及び左側シートのシートクッションが互いに隙間なく接する。
【発明の効果】
【００１１】
本発明に係る車両用シートによれば、車両が側方衝突を受けた場合、衝突を受けた側のシートクッションが車幅方向内側にガイドによって案内され、衝撃荷重を受けたシートクッションに内蔵されている内側プレートの嵌合ピンが隣り合うシートの内側プレートに開口された嵌合孔に嵌合する。これにより、車両用シートの右側シートと左側シートとが前後方向のみならず上下方向にも拘束される。また、シートクッションに内蔵された外側プレートは、荷重伝達部材に対して、回動シャフトで連結されている。車両用シートはリンク機構を備えている。このリンク機構は、荷重伝達部材に対して外側プレートを一定の角度に保持する第１の状態、および、荷重伝達部材に対して外側プレートを回動自在にする第２の状態に変位する。シートクッションが車幅方向へスライドすることで解除部材によって、リンク機構が第１の状態から第２の状態に変位する。つまり、シートクッションが車幅方向へスライドする場合、すなわち側方衝突を受けた場合、解除部材によってリンク機構が第２の状態になるため、衝撃荷重によって、車室の内側に変形してきた車体がシートクッションを押すと、外側プレートが回動シャフトを中心に回動するようにシートクッションが変形する。
【００１２】
したがって、側方衝突を受けた側のシートは、シートクッションが変形することによって、衝撃荷重を吸収しつつ、内側プレートを介して隣り合う反対側のシートへ衝撃荷重を伝達することができる。また、衝突を受けた側のシートが隣り合うシートに対して連結されるとともに、外側プレートが変位することで衝突を受けた側のシートが車室内側を向くことによって、衝突を受けた側のシートが車室の外に向く方向へ回転することを防止できる。その結果、シートバックに内蔵されたサイドエアバッグと乗員とのずれが生じるのを抑制でき、サイドエアバッグが乗員に対して適正な位置に展開される。なお、シートが車室内側を向いてもシートバックに内蔵されたサイドエアバッグも一緒に車室内側を向くように回動されるので、側方衝突において、車体と乗員との間にサイドエアバッグが適正に挿入され、かつ長時間介在させることができるので、乗員の安全がより確保される。
【００１３】
また、回動シャフトから離れた位置の荷重伝達部材と外側プレートとの間にリンク機構が連結される本発明の車両用シートによれば、外側プレートから入力される衝撃荷重が荷重伝達部材に伝わりやすい。そして、荷重伝達部材がシートクッションの後方側に配置され、荷重伝達部材の前方の外側プレートと内側プレートとの間にリンク機構が設けられる本発明の車両用シートによれば、側方衝突の初期状態において、荷重伝達部材およびリンク機構の両方で、衝撃荷重を反対側のシートへ伝達することができる。
【００１４】
車幅方向に荷重伝達部材の延長上に嵌合ピンが配置される本発明の車両用シートによれば、側方衝突によって、入力された衝撃荷重が嵌合ピンに集中するため、シートクッションのカバーを突き破って隣り合うシートクッションの内側プレートの嵌合孔に挿入されやすくなる。
【００１５】
さらに、側方衝突を受けてシートクッションがガイドに沿って車幅方向内側へ移動した際に、ガイドから外側プレートが脱落する本発明の車両用シートによれば、側方衝突の衝撃荷重が、車室の内側に車体が突出する程度に大きい場合でも、外側プレートがガイドから外れて自由に変位できることによって、衝突を受けた側のシートの外側プレートを車幅方向内側に自由に回動させることができる。
【００１６】
また、右側シート及び左側シートがシートクッションの下方に車両前後方向へスライド可能なスライド機構を備え、嵌合ピンが嵌合される嵌合孔がスライド機構のスライド位置に対応して車両前後に複数並んで設けられる本発明の車両用シートによれば、車幅方向で隣り合う右側シートと左側シートの前後位置がスライド機構によってずれている場合であっても衝突を受けた側のシートクッションに内蔵されている内側プレートの嵌合ピンを隣り合うシートクッションの内側プレートの嵌合孔に確実に嵌合させることができる。
【００１７】
また、車幅方向に隣り合う右側シート及び左側シートのシートクッションが互いに隙間無く接する本発明の車両用シートによれば、側方衝突による衝撃荷重を隣り合うシートにより確実に伝達することが可能となる。
【図面の簡単な説明】
【００１８】
【図１】本発明に係る第１の実施形態の車両用シートを示す斜視図。
【図２】図１の車両用シートを前方から見てシートクッション内部を模式的に示す正面図。
【図３】図２の内側プレートを示す斜視図。
【図４】図２中のＦ４−Ｆ４線に沿う車両用シートの断面図であって、（Ａ）は左側シートが少し前に位置決めされた状態、（Ｂ）は左側の側方衝突の初期状態、（Ｃ）は左側の側方衝突の後期状態をそれぞれ示す。
【図５】図２中のＦ４−Ｆ４線に沿う車両用シートの断面図であって、（Ａ）は左側シートが少し前に位置決めされた状態、（Ｂ）は右側の側方衝突の初期状態、（Ｃ）は右側の側方衝突の後期状態をそれぞれ示す。
【図６】本発明の第２の実施形態の車両用シートの断面図であって、（Ａ）は左側シートが少し前に位置決めされた状態、（Ｂ）は左側の側方衝突の初期状態、（Ｃ）は左側の側方衝突の後期状態をそれぞれ示す。
【図７】本発明の第３の実施形態の車両用シートを前方から見てシートクッション内部を模式的に示す正面図。
【発明を実施するための形態】
【００１９】
本発明に係る第１の実施形態の車両用シート１について、図１から図５を参照して説明する。この実施形態では、説明の便宜上、車両の進行方向を基準に「前」、「後」、「右」、「左」を、重力が作用する方向を基準に「上」、「下」を、車両用シート１が設置される車室の中心に向かう方向へ「内側」、車室の中心から離れる方向へ「外側」をそれぞれ定義する。
【００２０】
図１に示す車両用シート１は、車幅方向に右側シート１１及び左側シート１２が並んで配置されている。右側シート１１及び左側シート１２のそれぞれのシートバック１１Ａ，１２Ａの間には、アームレスト１３が設置されている。アームレスト１３は、図１に示すようにシートバック１１Ａ，１２Ａから前方へ延びた利用状態Ｐ１と、シートバック１１Ａ，１２Ａに沿わせて立て起こされた格納状態に回動可能である。
【００２１】
また、右側シート１１及び左側シート１２のシートクッション１１Ｂ，１２Ｂは、互いに略隙間なく接している、いわゆるベンチシートになっている。この実施形態の場合、図１及び図２に示すように、右側シート１１のシートクッション１１Ｂがアームレスト１３の分だけ左側シート１２側に延びている。右側シート１１及び左側シート１２は、それぞれ独立して進行方向へ固定位置を調節できるスライド機構１１Ｃ，１２Ｃを個別に備えている。右側シート１１及び左側シート１２のシートバック１１Ａ，１２Ａは、図１に示すように車幅方向に外側部分に、それぞれサイドエアバッグ１１Ｄ，１２Ｄを内蔵している。サイドエアバッグ１１Ｄ，１２Ｄは、衝突検知センサによって衝突が検知されると乗員と車体との間に展開される。
【００２２】
図１及び図２に示すように、この車両用シート１は、右側シート１１及び左側シート１２のそれぞれのシートクッション１１Ｂ，１２Ｂに、車両が側方衝突した際に、右側シート１１及び左側シート１２のいずれか一方のシートクッション１１Ｂ，１２Ｂに車室外側（車幅方向外側）から作用された荷重を他方のシートクッション１２Ｂ，１１Ｂに伝達して分散する衝突荷重伝達機構が設けられている。
【００２３】
衝突荷重伝達機構は、外側プレート１１１，１２１、内側プレート１１２，１２２、荷重伝達部材１１３，１２３、回動シャフト１１４，１２４、リンク機構１１５，１２５、ガイド１１６，１２６、解除部材１１７，１２７、嵌合ピン１１８，１２８、嵌合孔１１９，１２９を有している。外側プレート１１１，１２１は、車幅方向のシートクッション１１Ｂ，１２Ｂの外側部分に内蔵され、側方衝突した際にシートクッション１１Ｂ，１２Ｂに車室外側（車幅方向外側）から作用する荷重を受ける部材である。内側プレート１１２，１２２は、外側プレート１１１，１２１と対向して車幅方向のシートクッション１１Ｂ，１２Ｂの内側部分に内蔵されている。本実施形態においては、外側プレート１１１，１２１は、スライド機構１１Ｃ，１２Ｃの外側レール１１Ｃ１，１２Ｃ１の上部に配置された基部１１１Ａ，１２１Ａと、この基部１１１Ａ，１２１Ａから外側に張り出すように設けられたプレート部１１１Ｂ，１２１Ｂとで構成されている。内側プレート１１２，１２２は、スライド機構１１Ｃ，１２Ｃの内側レールの上部に配置された基部１１２Ａ，１２２Ａと、この基部１１２Ａ，１２２Ａから内側に張り出すように設けられたプレート部１１２Ｂ，１２２Ｂとで構成されている。
【００２４】
荷重伝達部材１１３，１２３は、シートクッション１１Ｂ，１２Ｂの後方側の位置で車幅方向に延設され、外側プレート１１１，１２１及び内側プレート１１２，１２２を車幅方向に連結している。車幅方向に加わる荷重を外側プレート１１１，１２１から内側プレート１１２，１２２へ、または、内側プレート１１２，１２２から外側プレート１１１，１２１へ伝達する。なお、荷重伝達部材１１３，１２３と外側プレート１１１，１２１とは、回動シャフト１１４，１２４を介して連結されている。
【００２５】
回動シャフト１１４，１２４は、荷重伝達部材１１２，１２３の外側プレート１１１，１２１との連結箇所において、中心軸が鉛直方向を向くよう配置され、荷重伝達部材１１３，１２３に対して外側プレート１１１，１２１を車幅方向に回動可能に連結する。
【００２６】
リンク機構１１５，１２５は、第１の状態Ｑ１と第２の状態Ｑ２とに変位する。第１の状態Ｑ１では、荷重伝達部材１１３，１２３に対して外側プレート１１１，１２１を一定の角度に保持する。本実施形態では、第１の状態Ｑ１で荷重伝達部材１１３，１２３に対して外側プレート１１１，１２１をほぼ９０°に保持する。第２の状態Ｑ２では、荷重伝達部材１１３，１２３に対して回動シャフト１１４，１２４を中心に外側プレート１１１，１２１を回動可能にする。具体的には、第２の状態Ｑ２では、外側プレート１１１，１２１が荷重伝達部材１１３，１２３に対して車幅方向内側に回動可能とされる。第１の実施形態においてリンク機構１１５，１２５は、図１、図４、図５に示すように、回動シャフト１１４，１２４から離れた位置で、荷重伝達部材１１３，１２３と外側プレート１１１，１２１との間を連結する第１のリンク１１５Ａ，１２５Ａ及び第２のリンク１１５Ｂ，１２５Ｂを含む２つの部材で構成されている。第１のリンク１１５Ａ，１２５Ａと第２のリンク１１５Ｂ，１２５Ｂの連結部分が、第１のリンク１１５Ａ，１２５Ａと第２のリンク１１５Ｂ，１２５Ｂの端部を結ぶ直線上よりもわずかに回動シャフト１１４，１２４から離れた位置で拘束され、リンク機構１１５，１２５は第１の状態Ｑ１であり、連結部分が第１のリンク１１５Ａ，１２５Ａと第２のリンク１１５Ｂ，１２５Ｂの端部を結ぶ直線上よりも回動シャフト１１４，１２４側に近い位置では自由に回動する第２の状態Ｑ２となる。
【００２７】
ガイド１１６，１２６は、スライド機構１１Ｃ，１２Ｃとシートクッション１１Ｂ，１２Ｂとの間に設置され、外側プレート１１１，１２１及び内側プレート１１２，１２２を支持し、外側プレート１１１，１２１に車室外側（車幅方向外側）から荷重が作用した際に外側プレート１１１，１２１及び内側プレート１１２，１２２を車幅方向内側へ案内する。第１の実施形態では、外側プレート１１１，１２１、内側プレート１１２，１２２、荷重伝達部材１１３，１２３、リンク機構１１５，１２５をシートクッション１１Ｂ，１２Ｂと一体的に、車幅方向内側に移動する。このとき、外側プレート１１１，１２１は、車幅方向へ一定の距離以上内側に向かって変位した場合、ガイド１１６，１２６から脱落するように構成されている。
【００２８】
解除部材１１７，１２７は、ガイド１１６，１２６とともに車両前後方向に沿って移動する部分に設置される。本実施形態では、図４，５に示すように、解除部材１１７，１２７は、外側プレート１１１，１２１を支持するガイド１１６，１２６から内側に延びたブラケット１１７Ａ，１２７Ａに設置されている。この解除部材１１７，１２７は、シートクッション１１Ｂ，１２Ｂがガイド１１６，１２６に沿って車幅方向内側に移動した場合に、リンク機構１１５，１２５に当たり、リンク機構１１５，１２５を第１の状態Ｑ１から第２の状態Ｑ２へ変位させる。
【００２９】
嵌合ピン１１８，１２８は、右側シート１１の内側プレート１１２及び左側シート１２の内側プレート１２２の少なくとも一方に、ガイド１１６，１２６に沿う方向へ内側に向かって突出した状態に設けられている。また、嵌合孔１１９，１２９は、嵌合ピン１１８，１２８が設けられた一方の内側プレート１１２，１２２に対峙する側の他方の内側プレート１２２，１１２に設けられており、右側シート１１もしくは左側シート１２の内側プレート１１２，１２２がガイド１１６，１２６に沿って車幅方向内側へ移動した際に嵌合ピン１１８，１２８が差し込まれる。なお、このとき右側シート１１及び左側シート１２の内側プレート１１２，１２２は、互いにシートクッション１１Ｂ，１２Ｂのカバーを挟んで当接された状態となる。
【００３０】
本実施形態では、図２示すように、右側シート１１の内側プレート１１２及び左側シート１２の内側プレート１２２のそれぞれに嵌合ピン１１８，１２８が設けられている。また、図３に示すように嵌合ピン１１８，１２８が互いに干渉しないように、右側シート１１の嵌合ピン１１８が上側に、左側シート１２の嵌合ピン１２８が下側に、配置されている。したがって、これらの嵌合ピン１１８，１２８に対応する嵌合孔１１９，１２９として、左側シート１２に設けられる嵌合孔１２９は上側に、右側シート１１に設けられる嵌合孔１１９は下側にそれぞれ設けられる。また、右側シート１１及び左側シート１２がそれぞれ独立してスライド機構１１Ｃ，１２Ｃによって移動するため、それぞれのシートがどの位置に固定された場合でも嵌合ピン１１８，１２８に対応できるように、スライド位置に合わせて嵌合孔１１９，１２９は、車両前後方向に複数並んで配置される。
【００３１】
このとき、図２、図４、図５に示すように、嵌合ピン１１８，１２８は、車幅方向に延設されて荷重伝達部材１１３，１２３の延長上に配置される。嵌合ピン１１８，１２８を含めて内側プレート１１２，１２２は、シートクッション１１Ｂ，１２Ｂの中に入っているため、嵌合ピン１１８，１２８が嵌合孔１１９，１２９に挿入されるためには、右側シート１１及び左側シート１２のシートクッション１１Ｂ，１２Ｂのカバーを貫通する必要がある。荷重伝達部材の延長上に嵌合ピン１１８，１２８が配置されることで、荷重が直接的に加わるため、嵌合ピン１１８，１２８の貫通力が増す。
【００３２】
以上のように構成された車両用シート１を備える車両において、車室の内側に突出する程度に車体が変形する側方衝突を受けた場合の車両用シート１の挙動について、図４及び図５を参照して以下に説明する。図４は、車両の左側に側方衝突を受けた場合を示し、図５は、車両の右側に側方衝突を受けた場合を示す。各図の（Ａ）は衝突前の状態、すなわち通常状態を示し、（Ｂ）は側方衝突の初期状態を示し、（Ｃ）は側方衝突の後期状態を示す。
【００３３】
車両用シート１は、右側シート１１及び左側シート１２をそれぞれ独立して車両前後方向にスライド機構１１Ｃ，１２Ｃで調整できるので、本実施形態では図４（Ａ）に示すように、左側シート１２が右側シート１１よりも前に位置決めされた状態を基に説明する。図４（Ａ）の状態において、外側プレート１１１，１２１の基部１１１Ａ，１２１Ａ及び内側プレート１１２，１２２の基部１１２Ａ，１２２Ａは、スライド機構１１Ｃ，１２Ｃの直上部に位置しており、リンク機構１１５，１２５は、いずれも第１の状態Ｑ１である。
【００３４】
立ち木や電柱など柱状の衝突対象Ｍに左側から側方衝突した場合、局部的に大きな衝撃荷重を受け、車室の内側に車体が突出するように変形する。図４（Ｂ）に示す衝突の初期状態では、車室の内側に突出してきた車体によって、左側シート１２の外側プレート１２１が押され、外側プレート１２１、荷重伝達部材１２３、内側プレート１２２が一体でガイド１２６に沿って車幅方向内側に移動される。これによって、シートクッション１２Ｂが全体的に車幅方向内側の右側シート１１側に移動している。
【００３５】
左側シート１２及び右側シート１１の互いの内側プレート１２２，１１２どうしが当接する程度に左側シート１２のシートクッション１２Ｂが移動すると、左側シート１２の嵌合ピン１２８は、左側シート１２のシートクッション１２Ｂ及び右側シート１１のシートクッション１１Ｂのカバーをそれぞれ突き破り、右側シート１１の内側プレート１１２に設けられた嵌合孔１１９に挿入される。同様に、右側シート１１の内側プレート１１２に設けられた嵌合ピン１１８は、それぞれシートクッション１１Ｂ，１２Ｂのカバーを突き破り、接近してくる左側シート１２の内側プレート１２２に設けられた嵌合孔１２９に挿入される。
【００３６】
それぞれ嵌合ピン１１８，１２８が嵌合孔１１９，１２９に差し込まれることによって、右側シート１１及び左側シート１２の内側プレート１１２，１２２が結合された状態になる。つまり、左側シート１２の外側プレート１２１に加わった衝撃荷重が荷重伝達部材１２３を介して内側プレート１２２に伝わり、さらに右側シート１１の内側プレート１１２から荷重伝達部材１１３を介して外側プレート１１１へ伝達される。
【００３７】
また、左側シート１２の内側プレート１２２が右側シート１１の内側プレート１１２に結合された図４（Ｂ）の状態まで左側シート１２のシートクッション１２Ｂが移動すると、リンク機構１２５が解除部材１２７に当たり、第１の状態Ｑ１から第２の状態Ｑ２へ切り換わる。さらに、図４（Ｂ）に示す状態では、左側シート１２の外側プレート１２１がガイド１２６から脱落している。リンク機構１２５が第２の状態Ｑ２になりガイド１２６から外側プレート１２１が脱落することにより、外側プレート１２１は、荷重伝達部材１２３に対して回動シャフト１２４を中心に車幅方向内側に自由に回動できる状態になる。
【００３８】
図４（Ｃ）に示す側方衝突の後期状態において、衝突対象Ｍがさらに車体を車室の内側に向かって変形させる場合、外側プレート１２１が回動シャフト１２４を中心に車室内側（図４中で時計回り）に回動し、これに伴って左側シート１２のシートクッション１２Ｂが車両内側を向くように変形する。これにより、左側シート１２が車両内側を向くように回転されるとともに乗員が衝突対象Ｍから遠ざけられる。また、このとき、左側シート１２の内側プレート１２２が右側シート１１の内側プレートに対して嵌合ピン１１８，１２８及び嵌合孔１１９，１２９によって互いに結合されているので、車体が変形して左側シート１２のシートクッション１２Ｂが押されて、左側シート１２が車両外側を向くよう（図４中で反時計回り）な回転モーメントが発生しても、左側シート１２が後方側に回転することを阻止することができる。
【００３９】
以上のように、左側シート１２の後方への回転が阻止されることで、乗員とシートバック１２Ａとの位置が前後方向でずれることが抑制されるので、側方衝突の初期状態から後期状態にかけて、シートバック１２Ａに内蔵されたサイドエアバッグ１２Ｄが乗員と車体との間に適正に展開される。特に、後期状態においては、左側シート１２（外側プレート１２１）とともにシートバック１２Ａに設置されたサイドエアバッグ１２Ｄが車両内側に向くように回転されるため、より長期にわたり乗員側方に展開が可能になる。さらに、左側シート１２の外側プレート１２１から入力された衝撃荷重は、荷重伝達部材１１３，１２３を介して、右側シート１１の外側プレート１１１まで伝達されるので、車室の内側に向かって車体が変形する量を軽減することができる。
【００４０】
右側に側方衝突を受けた場合の車両用シート１の挙動について、図５に示す。この車両用シート１において、右側シート１１の内部構造は、アームレスト１３の分だけシートクッション１１Ｂが車幅方向に大きく形成されていること以外は、左側シート１２の内部構造の平面上の配置に対して左右対称に配置されている。また、図２に示したように、右側シート１１の内部構造は、嵌合ピン１１８の位置に合わせて、荷重伝達部材１１３が配置される点が左側シート１２と異なっているが、構造上は左側シートと全く同じように機能する。
【００４１】
したがって、図５（Ａ）に示すように衝突前の状況において、図４と同様に左側シート１２が右側シート１１よりもやや前方に位置決めされた状態で、図５（Ｂ）のように右側でポール状の衝突対象Ｍに衝突した場合、右側シート１１のシートクッション１１Ｂは、車体が変形することに伴って、ガイド１１６に沿って車幅方向内側へ移動する。内側プレート１１２が対峙する左側シート１２の内側プレート１２２に対して嵌合ピン１１８，１２８及び嵌合孔１１９，１２９によって結合される状態において、リンク機構１１５は、解除部材１１７に当たり、第１の状態Ｑ１から第２の状態Ｑ２へ切り換わる。このとき、右側シート１１の外側プレート１１１は、ガイド１１６から脱落した状態になる。
【００４２】
図５（Ｃ）に示すように、側方衝突の衝撃荷重によってさらに車室の内側に向かって車体が変形される状態において、外側プレート１１１は、ガイド１１６から脱落しているので、回動シャフト１１４を中心に車室内側（図５で反時計回り）に回動する。したがって、右側シート１１が車室外側を向くよう（図５で時計回りに）回転されることが防止される。そして、車室の内側に突出する程度に車体が変形するような側方衝突を右側に受けた場合でも、乗員と車体との間に的確にサイドエアバッグ１１Ｄを展開させることができ、さらに、衝突の後期まで乗員と車体との間にサイドエアバッグ１１Ｄを維持することができる。そして、右側シート１１の外側プレート１１１から入力された衝撃荷重は、荷重伝達部材１１３，１２３を介して、左側シート１２の外側プレート１２１まで伝達されるので、車室の内側に向かって車体が変形する量を軽減することができる。
【００４３】
次に、本発明に係る第２の実施形態の車両用シート１について、図６を参照して説明する。本実施形態は、第１の実施形態とリンク機構の構成が異なる、なお、第１の実施形態の車両用シート１の構成と同じ機能を有する構成は、第２の実施形態中の説明及び図中において同一の符号を付し、第１の実施形態の対応する記載を参酌する。図６では、左側で柱状の衝突対象Ｍと側方衝突する場合を一例に、（Ａ）に衝突前の状態、（Ｂ）に側方衝突の初期状態、（Ｃ）に側方衝突の後期状態をそれぞれ示す。
【００４４】
第２の実施形態の車両用シート１において、リンク機構１１５，１２５は、図６に示すように荷重伝達部材１１３，１２３の前方の外側プレート１１１，１２１と内側プレート１１２，１２２との間に設けられる。リンク機構１１５，１２５は、第１のリンク１１５Ａ，１２５Ａ及び第２のリンク１１５Ｂ，１２５Ｂを含むように構成される。第１のリンク１１５Ａ，１２５Ａと第２のリンク１１５Ｂ，１２５Ｂとの連結部分がこれらのリンクの端部を結ぶ直線上よりも荷重伝達部材１１３，１２３からわずかに離れた位置で拘束されて、リンク機構１１５，１２５は第１の状態Ｑ１となり、直線上よりも荷重伝達部材１１３，１２３に近い位置で自由に回動する、第２の状態Ｑ２となる。
【００４５】
解除部材１１７，１２７は、内側プレート１１２，１２２を支持するガイド１１６，１２６とともにスライド機構１１Ｃ，１２Ｃに沿って移動する部分に設けられたブラケット１１７Ａ，１２７Ａに取り付けられている。図６（Ｂ）に示すように左側から側方衝突を受けることで、車体が変形して車室の内側に突出すると、外側プレート１２１に加わる衝撃荷重によってシートクッション１２Ｂがガイド１２６に沿って車幅方向内側へ移動する。衝撃荷重は荷重伝達部材１２３及びリンク機構１２５を介して内側プレート１２２へ伝達され、嵌合ピン１１８，１２８が嵌合孔１１９，１２９にそれぞれ差し込まれる。内側プレート１１２，１２２どうしが結合されると、解除部材１２７によってリンク機構１２５が第１の状態Ｑ１から第２の状態Ｑ２へ変位する。車室の内側に車体が突出する量が大きい場合は図６（Ｃ）のようにさらに変形が進み、外側プレート１２１が回動シャフト１２４を中心に車幅方向内側に回動する。
【００４６】
これにより、第１の実施形態同様、左側シート１２が車両内側を向くように回転されるとともに乗員が衝突対象Ｍから遠ざけられる。また、左側シート１２が車両外側を向くような回転モーメントが発生しても、左側シート１２が後方側に回転するのが阻止されるので、乗員とシートバック１２Ａとの位置が前後方向でずれることが抑制され、側方衝突の初期状態から後期状態にかけて、シートバック１２Ａに内蔵されたサイドエアバッグ１２Ｄが乗員と車体との間に適正に展開される。
【００４７】
そして、第２の実施形態の車両用シート１によれば、側方衝突の初期状態において、外側プレート１１１，１２１に入力される衝撃荷重が、荷重伝達部材１１３，１２３およびリンク機構１１５，１２５の両方によって、内側プレート１１２，１２２へ伝達される。したがって、第１の実施形態の場合よりもより大きい衝撃荷重を入力側から反対側へ効率よく伝達することができる。
【００４８】
次に、本発明に係る第３の実施形態の車両用シート１について、図７を参照して説明する。第１の実施形態の車両用シート１の構成と同じ機能を有する構成は、第３の実施形態中の説明及び図中において同一の符号を付し、第１の実施形態の対応する記載を参酌する。図７に示す車両用シート１において、右側シート１１及び左側シート１２のそれぞれ外側プレート１１１，１２１の基部１１１Ａ，１２１Ａ及び内側プレート１１２，１２２の基部１１２Ａ，１２２Ａは、Ｃ形のチャンネル部材で構成され、溝部に荷重伝達部材１１３，１２３が配置される。
【００４９】
リンク機構１１５，１２５は、第１の実施形態と同様に、外側プレート１１１，１２１と荷重伝達部材１１３，１２３との間に配置される。リンク機構１１５，１２５のうち外側プレート１１１，１２１に接続される第１のリンク１１５Ａ，１２５Ａが基部１１１Ａ，１２１Ａの溝部の内側に連結され、第２のリンク１１５Ｂ，１２５Ｂは、第１のリンク１１５Ａ，１２５Ａ及び荷重伝達部材１１３，１２３を上下から挟む一対に取り付けられる。なお、第２のリンク１１５Ｂ，１２５Ｂは、第２の状態Ｑ２の範囲内において第１のリンク１１５Ａ，１２５Ｂ及び荷重伝達部材１１３，１２３に干渉しない位置で一続きに形成されていてもよい。
【００５０】
さらに図７に示すように、外側プレート１１１，１２１及び内側プレート１１２，１２２は、いずれも、基部１１１Ａ，１２１Ａ，１１２Ａ，１２２Ａの上側部分及び下側部分の両方でプレート部１１１Ｂ，１２１Ｂ，１１２Ｂ，１２２Ｂにそれぞれ均等に連結されている。そして、右側シート１１の嵌合ピン１１８は、内側プレート１１２上側部分に配置され、左側シート１２の嵌合ピン１２８は、内側プレート１２２の下側部分に配置されている。またこれら嵌合ピン１１８，１２８に対応する嵌合孔１１９，１２９は、相手側の内側プレート１２２，１１２の対峙する位置に設けられる。
【００５１】
以上のように設けられた第３の実施形態の車両用シート１によれば、外側プレート１１１，１２１に入力される側方衝突の衝撃荷重は、高さ方向に偏りがなく、荷重伝達部材１１３，１２３を介して内側プレート１１２，１２２へ伝達される。そして、内側プレート１１２，１２２を介して反対側のシートの荷重伝達部材１２３，１１３に伝わり、入力側の反対側となる外側プレート１２１，１１１まで伝達される。このように、荷重伝達経路が荷重伝達部材を中心に上下に均等に設けられるので、衝撃荷重が入力側から反対側までより効率よく伝達される。
【００５２】
なお、第３の実施形態におけるリンク機構１１５，１２５は、第２の実施形態におけるリンク機構１１５，１２５のように、外側プレート１１１，１２１の基部１１１Ａ，１２１Ａから内側プレート１１２，１２２の基部１１２Ａ，１２２Ａへ連結されるように配置されていてもよい。そうすることで、側方衝突の初期状態におけるシートクッション１１Ｂ，１２Ｂの剛性が向上する。
【符号の説明】
【００５３】
１…車両用シート、１１…右側シート、１１Ａ…シートバック、１１Ｂ…シートクッション、１１Ｃ…スライド機構、１１Ｄ…サイドエアバッグ、１１１…外側プレート、１１２…内側プレート、１１３…荷重伝達部材、１１４…回動シャフト、１１５…リンク機構、１１６…ガイド、１１７…解除部材、１１８…嵌合ピン、１１９…嵌合孔、１２…左側シート、１２Ａ…シートバック、１２Ｂ…シートクッション、１２Ｃ…スライド機構、１２Ｄ…サイドエアバッグ、１２１…外側プレート、１２２…内側プレート、１２３…荷重伝達部材、１２４…回動シャフト、１２５…リンク機構、１２６…ガイド、１２７…解除部材、１２８…嵌合ピン、１２９…嵌合孔
【図１】
2015123873.tif 000003
【図２】
2015123873.tif 000004
【図３】
2015123873.tif 000005
【図４】
2015123873.tif 000006
【図５】
2015123873.tif 000007
【図６】
2015123873.tif 000008
【図７】
2015123873.tif 000009